(57)【要約】      （修正有）【課題】屋根に設置することができるとともに、雪下ろしの際に妨げになることがない命綱係合装置を提供する。【解決手段】命綱係合装置１は、長手方向へ延びる棒部材１０と、棒部材の両端に設けられるとともに棒部材を屋根２に固定する固定部材２０とを備える。固定部材は、棒部材が挿入される支持部２１と、支持部を屋根材３に連結する連結部２２とを備える。連結部は、笠部２３を介して屋根材に固定される。支持部には、支持部と棒部材との相対移動を抑制する固定手段２４が設けられる。連結部は、分離可能な第１部分２５および第２部分２６を備え、これらは螺合によって互いに連結される。ネジ部材を、屋根材に貫通させて屋根材の下に位置する垂木や棟木に螺合することによって、第２部分２６を屋根に固定させることができる。【選択図】図１
0003192243.tif 000002
【実用新案登録請求の範囲】
【請求項１】
命綱を係合することができるとともに長手方向へ延びる棒部材と、前記棒部材を屋根に固定する少なくとも２つの固定部材とを備える命綱係合装置であって、
前記固定部材は、前記棒部材を支持可能な支持部と、前記支持部を前記屋根に連結する連結部とを含み、前記屋根の頂部近傍に取付けられることを特徴とする命綱係合装置。
【請求項２】
前記連結部と前記屋根との間には、前記屋根に面で接触可能な笠部をさらに備え、前記笠部を介して前記連結部が前記屋根に固定されることを特徴とする請求項１記載の命綱係合装置。
【考案の詳細な説明】
【技術分野】
【０００１】
この考案は、建物の屋根における作業時に命綱を取付ける命綱係合装置に関し、より詳細には、屋根の雪下ろし時に使用する命綱係合装置に関する。
【背景技術】
【０００２】
従来、屋根の作業時に用いる転落防止装置や、親綱張設装置等が知られている。これら装置を用いることで作業者が足を滑らせたような場合でも、作業者が屋根から転落するのを防止することができる。
【先行技術文献】
【特許文献】
【０００３】
【特許文献１】実開平７−３４１２９号公報
【特許文献２】特開２００９−２２８２０９号公報
【考案の概要】
【考案が解決しようとする課題】
【０００４】
しかしながら、特許文献１および特許文献２のいずれにおいても、装置が屋根の傾斜面に設けられている。雪下ろしの際には、雪を屋根の斜面に沿って滑らせるようにして屋根から落とすこともあるため、装置を屋根の傾斜面に設置すると、装置が雪下ろしの妨げになるという問題があった。
【０００５】
この考案では、屋根に設置することができるとともに、雪下ろしの際に妨げになることがない命綱係合装置を提供することを課題とする。
【課題を解決するための手段】
【０００６】
この考案は、命綱を係合することができるとともに長手方向へ延びる棒部材と、前記棒部材を屋根に固定する少なくとも２つの固定部材とを備える命綱係合装置であって、前記固定部材は、前記棒部材が挿入可能な支持部と、前記支持部を前記屋根に連結する連結部とを含み、前記屋根の頂部近傍に取付けられることを特徴とする。屋根の頂部とは、屋根が傾斜している場合には、最も高い位置にある部分をいうが、厳密にその頂点をいうものではなく、その近傍を含む概念である。支持部の形状は、棒部材を支持可能なものであれば特に制限されないが、例えば棒部材が挿入可能な環状や、Ｕ字形状等があげられる。
【０００７】
前記連結部と前記屋根との間には、前記屋根に面で接触可能な笠部をさらに備え、前記笠部を介して前記連結部が前記屋根に固定されていてもよい。
【考案の効果】
【０００８】
この考案の命綱係合装置によれば、棒部材を固定する固定部材を屋根の頂部近傍に設けることとしたので、屋根の雪下ろしをする際に固定部材および棒部材が作業の妨げになることがない。
【図面の簡単な説明】
【０００９】
【図１】この考案の命綱係合装置の使用状態の一例を示す図であり、説明のため屋根材の一部を破断した図。
【図２】図１の命綱係合装置の分解組立図。
【図３】固定部材の他の実施形態を示す図。
【考案を実施するための形態】
【００１０】
図１および図２は、この考案の実施態様の一例を示したものである。命綱係合装置１は、長手方向へ延びる棒部材１０と、棒部材１０の両端に設けられるとともに棒部材１０を屋根２に固定する固定部材２０とを備える。棒部材１０は、屋根２の一端から他端に亘って延びることが望ましい。固定部材２０は、少なくとも１対設けられ、一方の固定部材は屋根２の一端近傍に取付けられ、他方は他端近傍に取付けられる。
【００１１】
固定部材２０は、棒部材１０が挿入される環状の支持部２１と、支持部２１を屋根材３に連結する連結部２２とを備える。連結部２２は、笠部２３を介して屋根材３に固定される。
【００１２】
支持部２１の内径は、棒部材１０の直径よりもわずかに大きく、その内側に棒部材１０が挿入可能である。支持部２１には、支持部２１と棒部材１０との相対移動を抑制する固定手段２４が設けられる。この実施形態において、固定手段２４は、支持部２１の外周から内周へと貫通するネジ部材によって構成される。
【００１３】
図２を参照すれば、連結部２２は、分離可能な第１部分２５および第２部分２６を備え、第１部分２５および第２部分２６は、螺合によって互いに連結される。第１部分２５および第２部分２６は、それぞれ中空構造すなわち円柱形状を有し、その内側には連結部２２を屋根２に固定するための固定手段が挿入される。この実施形態において、固定手段はネジ部材２７によって構成され、第２部分２６にはネジ部材２７の軸と同軸方向に延びる支持孔２８が設けられる。支持孔２８の直径は、ネジ部材２７のネジ部直径よりも大きく、ネジ頭の直径よりも小さい。
【００１４】
再び図１を合わせて参照すれば、ネジ部材２７は、屋根材３に貫通させるとともに、屋根材３の下に位置する垂木６や棟木５に螺合することによって、第２部分２６を屋根２に固定させることができる。第２部分２６は、笠部２３を介して屋根材３に固定されるが、第２部分２６と笠部２３とは溶接等によって水密に連結される。笠部２３は、緩衝シート２９を介して屋根材３に面で接触する形状である。この実施形態では、屋根２は、頂部４で交差する二つの面を有し、笠部２３の屋根２に対向する面も、これら交差する角度と同じ角度を有する二つの面を有する。したがって、笠部２３は、屋根材３と面で接触することができる。笠部２３と屋根材３との間には緩衝シート２９を設けるので、笠部２３と屋根材３との間のがたつきを予防することができ、より密着させることができる。笠部２３と屋根材３とを密着させることができるので、これらの間から雨水等が漏れるのを予防することができる。
【００１５】
この実施形態において、連結部２２の第２部分２６を屋根材３に接触させた状態でネジ部材２７を用いて第２部分２６を屋根２に固定する。次に第１部分２５を第２部分２６に螺合させ、支持部２１を連結させる。固定部材２０を屋根２に固定した状態において、ネジ部材２７は連結部２２の中空部分に収まるので、ネジ部材２７の風雨による浸食を予防し、第２部分２６に設けた支持孔２８から雨などが入るのを予防することができる。ネジ部材２７は屋根２の棟木等に螺合することによって、確実に固定部材２０を屋根２に固定することができる。
【００１６】
固定部材２０を屋根２に固定し、支持部２１に棒部材１０を挿入するとともに、棒部材１０と支持部２１とを互いに固定する。棒部材１０には命綱の一方を固定し、他方を作業者の体に固定する。棒部材１０は、屋根材３から離間して固定されるから、命綱を引っ掛けやすい。また、棒部材１０が屋根材３から離間することによって、積雪があったときでも棒部材１０を視認しやすく、命綱を取付けやすい。
【００１７】
上記のような命綱係合装置１は、屋根２の頂部４近傍に設けられる。したがって、屋根の雪下ろし作業において、雪を屋根材に沿って落下させるような場合であっても、装置が邪魔になることがない。また、棒部材１０が屋根２の頂部４に沿って、屋根２の一方の端部から他方の端部に亘って設けられるので、作業者は棒部材１０に沿って命綱を滑らせるようにして移動することができ、命綱を付け替えることなく屋根２全体を移動することができる。特に、屋根２が交差する二つの斜面を有する場合には、一方の斜面の作業を終えた後、棒部材１０を越えるようにして他方の斜面に移動するだけで、命綱を付け替えることなく安全に他方の斜面の作業をおこなうことができる。
【００１８】
この実施形態では、棒部材１０として曲げ強度の大きい例えば鉄やアルミニウム等の金属を用いることができる。命綱を親綱に係合する場合には親綱が撓みやすいという問題があるが、棒部材１０に係合することによって、この問題を解消することができる。また、棒部材１０に防錆処理を施すことによって、これを屋根に取り付けたままにすることができる。したがって、積雪時に親綱や棒部材を取付ける必要がなく、より安全な作業が実現できる。緩衝シート２９としては、例えば、合成ゴムやウレタンなどの弾性を有する合成樹脂を使用することができる。棒部材１０を支持する支持部２１は環状であるが、棒部材１０を支持可能であれば、例えばＵ字形状等、他の形状であってもよい。
【００１９】
図３は、固定部材２０の他の例を示したものである。固定部材２０は、笠部２３の図面下方へ延びる第３部分３０をさらに有することを特徴とする。他の構成は前述の実施形態と同様である。
【００２０】
第３部分３０は、ネジ部材２７の周囲において軸方向へ延びる円柱形状を有する。第３部分３０の軸方向における寸法は、固定部材２０に取り付けたネジ部材２７がその端部から延出するようにしている。このように第３部分３０を設けることによって、ネジ部材２７の保護が可能となり、腐食を抑制することができる。第１部分２５、第２部分２６および第３部分３０は円柱形としているが、これに限定されるものではなく、多角柱形であってもよいし、柱形以外の形状であってもよい。
【００２１】
命綱係合装置１を構成する各構成部材には、本明細書に記載されている材料のほかに、この種の分野において通常用いられている、各種の公知の材料を制限なく用いることができる。また、固定部材２０は、例えば屋根の大きさによって３以上設けることもできるし、支持部２１を複数設けることもできる。命綱係合装置１には、意匠的な装飾を施すことによって、建物の美観を保つこともできる。
【符号の説明】
【００２２】
１  命綱係合装置
１０  棒部材
２０  固定部材
２１  支持部
２２  連結部
２３  笠部
２４  固定手段
【図１】
0003192243.tif 000003
【図２】
0003192243.tif 000004
【図３】
0003192243.tif 000005
【手続補正書】
【提出日】平成26年6月5日(2014.6.5)
【手続補正１】
【補正対象書類名】実用新案登録請求の範囲
【補正対象項目名】全文
【補正方法】変更
【補正の内容】
【実用新案登録請求の範囲】
【請求項１】
命綱を係合することができるとともに長手方向へ延びる棒部材と、前記棒部材を屋根に固定する少なくとも２つの固定部材とを備える命綱係合装置であって、
前記固定部材は、前記棒部材の直径よりも大きい内径を有する環状またはＵ字形状の支持部と、一方の端が前記支持部に連結し他方の端が固定手段によって前記屋根に連結される連結部とを含み、前記屋根の頂部近傍に取付けられることを特徴とする命綱係合装置。
【請求項２】
前記連結部と前記屋根との間には、前記屋根に面で接触する形状を有する笠部をさらに備え、前記笠部を介して前記連結部が前記屋根に固定されることを特徴とする請求項１記載の命綱係合装置。
【手続補正２】
【補正対象書類名】明細書
【補正対象項目名】０００６
【補正方法】変更
【補正の内容】
【０００６】
この考案は、命綱を係合することができるとともに長手方向へ延びる棒部材と、前記棒部材を屋根に固定する少なくとも２つの固定部材とを備える命綱係合装置であって、前記固定部材は、前記棒部材の直径よりも大きい内径を有する環状またはＵ字形状の支持部と、一方の端が前記支持部に連結し他方の端が固定手段によって前記屋根に連結される連結部とを含み、前記屋根の頂部近傍に取付けられることを特徴とする。屋根の頂部とは、屋根が傾斜している場合には、最も高い位置にある部分をいうが、厳密にその頂点をいうものではなく、その近傍を含む概念である。
【手続補正３】
【補正対象書類名】明細書
【補正対象項目名】０００７
【補正方法】変更
【補正の内容】
【０００７】
前記連結部と前記屋根との間には、前記屋根に面で接触する形状を有する笠部をさらに備え、前記笠部を介して前記連結部が前記屋根に固定されていてもよい。